(57)【要約】【課題】権利許諾、配信契約、テ゛ータ処理、配信といった映像テ゛シ゛タルテ゛ータに係る処理および各処理における管理全般を効率的に行うこと。【解決手段】本発明の映像テ゛シ゛タルテ゛ータ管理システム１０によれば、映像コンテンツの所有権を有する所有権者側と映像コンテンツの配信を要求する配信要求側との間で締結された配信契約に関する契約情報を管理する契約情報テ゛ータヘ゛ース４０と、顧客サーハ゛１７（＃２）からインターネット１１を介して映像コンテンツの配信要求情報が送信されることによって映像コンテンツの配信要求があった場合には、配信要求情報と契約情報テ゛ータヘ゛ース４０に管理された契約情報とを比較する比較部２２と、比較の結果、両情報に矛盾がない場合には、配信要求情報に基づいて映像コンテンツに対してテ゛シ゛タル処理を行うテ゛シ゛タル処理部２４と、テ゛シ゛タル処理部２４で処理された映像コンテンツを、顧客サーハ゛１７（＃２）へとインターネット１１を介して配信する映像コンテンツ配信部３４とを備えている。【選択図】　図１
2004080515.tif 000002
【特許請求の範囲】
【請求項１】
映像コンテンツの所有権を有する所有権者側と、前記所有権者側がその所有権を有する映像コンテンツの配信を要求する配信要求側との間で締結された映像コンテンツの配信に関する契約情報を管理する契約情報データベースと、
前記配信要求側から伝送路を介して、前記映像コンテンツの配信要求情報が送信されることによって、この映像コンテンツの配信要求があった場合には、前記配信要求情報と前記契約情報データベースに管理された契約情報とを比較する比較手段と、
前記比較手段による前記配信要求情報と前記契約情報との比較の結果、両情報に矛盾がない場合には、前記配信要求情報に基づいて前記映像コンテンツに対して少なくともデジタル変換を含むデータ処理を行うデータ処理手段と、
前記データ処理手段でデータ処理された映像コンテンツを、前記配信要求側へと前記伝送路を介して配信する映像コンテンツ配信手段と
を備えた映像デジタルデータ管理システム。
【請求項２】
請求項１に記載の映像デジタルデータ管理システムにおいて、
前記映像コンテンツ配信手段によって映像コンテンツが配信された場合には、この映像コンテンツに対してなされた配信要求情報を前記伝送路を介してこの映像コンテンツの所有権者側へ送信する配信要求情報送信手段を備えた映像デジタルデータ管理システム。
【請求項３】
請求項２に記載の映像デジタルデータ管理システムにおいて、
前記映像コンテンツ配信手段によって映像コンテンツが配信された配信要求側、およびこの映像コンテンツの所有権者側へ、前記配信に係る費用請求書を前記伝送路を介して送信する請求書送信手段を備えた映像デジタルデータ管理システム。
【請求項４】
請求項１乃至３のうち何れか１項に記載の映像デジタルデータ管理システムにおいて、
前記所有権者側が有する映像コンテンツ、および前記所有権者側によって提示されるこの映像コンテンツの配信に関する契約条件を、閲覧可能な状態で提供する契約条件提供手段を備えた映像デジタルデータ管理システム。
【請求項５】
請求項４に記載の映像デジタルデータ管理システムにおいて、
前記契約条件提供手段によって提供された契約条件に対してなされる前記配信要求側からの契約要求を前記伝送路を介して受け付け、前記契約要求の内容と、前記契約条件の内容とを比較し、両内容に矛盾がない場合には、前記所有権者側と前記配信要求側との間での映像コンテンツの配信に関する契約を締結し、この締結された契約の契約情報を前記契約情報データベースに管理させる契約締結手段を備えた映像デジタルデータ管理システム。
【請求項６】
請求項１乃至５のうち何れか１項に記載の映像デジタルデータ管理システムにおいて、
前記データ処理手段は、前記映像コンテンツに対して、デジタル変換、字幕付加、暗号化を行うようにした映像デジタルデータ管理システム。
【請求項７】
請求項１乃至６のうち何れか１項に記載の映像デジタルデータ管理システムにおいて、
前記伝送路をインターネットとした映像デジタルデータ管理システム。
【発明の詳細な説明】
【０００１】
【発明の属する技術分野】
本発明は、映像デジタルデータ管理システムに係り、更に詳しくは、デジタル化された映像コンテンツである映像デジタルデータの保管、顧客との契約、字幕付加、契約に基づく配信等といった映像デジタルデータの各処理、および各処理における必要な管理を一元的に行う映像デジタルデータ管理システムに関する。
【０００２】
【従来の技術】
従来、映画制作会社においては、映画を撮影する場合には、アナログ撮影カメラを用いてマスターフィルムを作成し、作成された膨大なマスターフィルムを編集することによって完成版フィルムが作成されている。
【０００３】
そして、このように作成された完成版フィルムを映画館で上映する場合には、更に以下のような処理が行われている。
【０００４】
すなわち、洋画の場合には、映画製作会社とライセンス契約を締結した配給会社が、そのライセンス契約に基づいて完成版フィルムに字幕を付加し、この字幕が付加された完成版フィルムを各映画館の映写機から上映可能な形態に焼き直し、焼き直した完成版フィルムを各劇場に配給している。自国語に吹き替える場合もまた同様である。各劇場は、このようにして配給会社から配給された完成版フィルムを映写機から映写することにより上映している。
【０００５】
一方、最近、デジタル撮影カメラの技術も進歩してきており、その解像度もアナログ撮影カメラと同程度の能力を有するようになってきている。そのため、最近では、上述したようなアナログフィルム形式の配給方法から、デジタルデータ形式の配給方法への転換が進んでいる。
【０００６】
撮影がデジタル撮影カメラによってなされ、映像データがデジタルで記録されるようになると、各映画館の映写機を、デジタルデータを上映可能な形式に変更することによって、上述したような完成版フィルムの焼き直し処理は不要となる。また、デジタルで記録された映像データは、容易に複写することができるのみならずＣＤ等のコンパクトな媒体に記録することができるので、フィルムに比べて持ち運びや保管が格段に容易になり、コストダウンを図ることができる。
【０００７】
あるいは、映像デジタルデータを各映画館に配信する中央配信センターを設け、各映画館は、専用線を介してこの中央配信センターから映像デジタルデータの配信を受け、この配信された映像デジタルデータをスクリーンに上映するようにすることによって、各映画館側ではデータを一切持たないようにすることも可能である。
【０００８】
このような映像デジタルデータは、映画館に限ることではなく、ブロードバンドやケーブルテレビを介することによって、各家庭に配信することも可能である。これによって、各家庭は、配信元に要求することによって、映像デジタルデータの配信を受け、家庭に備えたテレビやホームシアターシステムから映画を見ることも可能となる。これによって、中央配信センターに映像デジタルデータを集中的に保管、管理し、そこから要求に応じて、ブロードバンドやケーブルテレビ等のインフラを利用して、映像デジタルデータを配信するサービスのような新しいビジネス形態が考えられている。
【０００９】
【発明が解決しようとする課題】
しかしながら、上述したような映像デジタルデータ配信サービスでは、現状、以下のような問題がある。
【００１０】
すなわち、ブロードバンドやケーブルテレビ等のネットワークを介して映像デジタルデータを配信するようなビジネスを展開する場合、そのビジネス範囲は国境を越えて世界規模となる。
【００１１】
映像デジタルデータのようなコンテンツは、通常、国毎に契約がなされている。したがって、顧客側からコンテンツの配信要求があった場合、映像デジタルデータ配信サービス側では、この顧客が、配信契約を締結した国に属する顧客であることを確認した上で、更にこの顧客との契約内容（契約期間、料金、配信回数、データフォーマット方式、字幕に付加する言語、吹き替え言語等）を確認した上で、その契約内容に基づいて配信を行う。
【００１２】
また、国毎に与えられている権利が異なっている場合があるので、国と契約を締結する場合には、どのコンテンツのどの権利が与えられているのかを確認しなければならない。
【００１３】
現状、契約の締結や、契約内容については紙ベースでなされており、担当者がその内容を逐一つきあわせて確認する方法をとっているので、当然のことながら、これらの確認作業には膨大な手間と労力がかかるという問題がある。
【００１４】
本発明はこのような事情に鑑みてなされたものであり、デジタル化された映像データである映像デジタルデータの保管、配信契約、字幕付加、配信契約に基づく配信等といった映像デジタルデータに係る処理、および各処理における管理を一元的に行い、もって、権利許諾、配信契約、データ処理、配信といった映像デジタルデータに係る処理、および各処理における管理全般を効率的に行うことが可能な映像デジタルデータ管理システムを提供することを目的とする。
【００１５】
【課題を解決するための手段】
上記の目的を達成するために、本発明では、以下のような手段を講じる。
【００１６】
すなわち、請求項１の発明の映像デジタルデータ管理システムは、映像コンテンツの所有権を有する所有権者側と、所有権者側がその所有権を有する映像コンテンツの配信を要求する配信要求側との間で締結された映像コンテンツの配信に関する契約情報を管理する契約情報データベースと、配信要求側から伝送路を介して、映像コンテンツの配信要求情報が送信されることによってこの映像コンテンツの配信要求があった場合には、配信要求情報と契約情報データベースに管理された契約情報とを比較する比較手段と、比較手段による配信要求情報と契約情報との比較の結果、両情報に矛盾がない場合には、配信要求情報に基づいて映像コンテンツに対して少なくともデジタル変換を含むデータ処理を行うデータ処理手段と、データ処理手段でデータ処理された映像コンテンツを、配信要求側へと伝送路を介して配信する映像コンテンツ配信手段とを備えている。
【００１７】
従って、請求項１の発明の映像デジタルデータ管理システムにおいては、以上のような手段を講じることにより、映像コンテンツの契約管理、データ処理、配信といった処理、およびこれら各処理における管理を一元的に行うことができる。
【００１８】
請求項２の発明は、請求項１の発明の映像デジタルデータ管理システムにおいて、映像コンテンツ配信手段によって映像コンテンツが配信された場合には、この映像コンテンツに対してなされた配信要求情報を、伝送路を介してこの映像コンテンツの所有権者側へ送信する配信要求情報送信手段を備えている。
【００１９】
従って、請求項２の発明の映像デジタルデータ管理システムにおいては、以上のような手段を講じることにより、映像コンテンツの所有権者側は、自己の所有する映像コンテンツが配信されたことを確認することができる。
【００２０】
請求項３の発明は、請求項２の発明の映像デジタルデータ管理システムにおいて、映像コンテンツ配信手段によって映像コンテンツが配信された配信要求側、およびこの映像コンテンツの所有権者側へ、配信に係る費用請求書を伝送路を介して送信する請求書送信手段を備えている。
【００２１】
従って、請求項３の発明の映像デジタルデータ管理システムにおいては、以上のような手段を講じることにより、映像コンテンツの配信に係る費用請求も自動的に行うことができる。
【００２２】
請求項４の発明は、請求項１乃至３のうち何れか１項の発明の映像デジタルデータ管理システムにおいて、所有権者側が有する映像コンテンツ、および所有権者側によって提示されるこの映像コンテンツの配信に関する契約条件を、閲覧可能な状態で提供する契約条件提供手段を備えている。
【００２３】
従って、請求項４の発明の映像デジタルデータ管理システムにおいては、以上のような手段を講じることにより、配信要求側は、映像コンテンツの所有権側が提示する契約条件を閲覧することができるので、新たな映像コンテンツとの契約を検討する場合に便利である。
【００２４】
請求項５の発明は、請求項４の発明の映像デジタルデータ管理システムにおいて、契約条件提供手段によって提供された契約条件に対してなされる配信要求側からの契約要求を伝送路を介して受け付け、契約要求の内容と、契約条件の内容とを比較し、両内容に矛盾がない場合には、所有権者側と配信要求側との間での映像コンテンツの配信に関する契約を締結し、この締結された契約の契約情報を契約情報データベースに管理させる契約締結手段を備えている。
【００２５】
従って、請求項５の発明の映像デジタルデータ管理システムにおいては、以上のような手段を講じることにより、所有権者側と配信要求側との間の映像コンテンツの配信に関する契約締結を機械的に行うことができる。
【００２６】
請求項６の発明は、請求項１乃至５のうち何れか１項の発明の映像デジタルデータ管理システムにおいて、データ処理手段は、映像コンテンツに対して、デジタル変換、字幕付加、暗号化を行う。
【００２７】
従って、請求項６の発明の映像デジタルデータ管理システムにおいては、以上のような手段を講じることにより、映像コンテンツに対するデータ処理として、デジタル変換、字幕付加、暗号化など様々なデータ処理を行うことができる。
【００２８】
請求項７の発明は、請求項１乃至６のうち何れか１項の発明の映像デジタルデータ管理システムにおいて、伝送路をインターネットとしている。
【００２９】
従って、請求項７の発明の映像デジタルデータ管理システムにおいては、以上のような手段を講じることにより、所有権者側、および配信要求側との情報授受をインターネットを介して行うことができる。
【００３０】
【発明の実施の形態】
以下に、本発明の実施の形態について図面を参照しながら説明する。
【００３１】
本発明の実施の形態を図１から図５を用いて説明する。
【００３２】
図１は、本発明の実施の形態に係る映像デジタルデータ管理システムが適用されるネットワーク構成の一例を示す概念図である。
【００３３】
図２は、本発明の実施の形態に係る映像デジタルデータ管理システムの構成例を示す機能ブロック図である。
【００３４】
すなわち、本発明の実施の形態に係る映像デジタルデータ管理システム１０は、それぞれがインターネット１１に接続している統合管理システム１２と、コンテンツ権利許諾閲覧システム１４と、暗号鍵情報管理システム１６とを備えている。そして、統合管理システム１２、コンテンツ権利許諾閲覧システム１４、暗号鍵情報管理システム１６それぞれが、インターネット１１を介して顧客サーバ１７（＃１，＃２，・・・）からのアクセスを受け付けることができるような構成としている。なお、説明の都合上、図１における顧客サーバ１７（＃１）は、映像コンテンツの所有権者側が操作するサーバであり、顧客サーバ１７（＃２）は、映像コンテンツの配信要求側が操作するサーバであるものとする。
【００３５】
統合管理システム１２は、コンテンツ権利許諾閲覧システム１４および暗号鍵情報管理システム１６と連携しながら映像デジタルデータ管理システム１０の全体管理を行う部位であり、契約締結部２０と、比較部２２と、デジタル処理部２４と、字幕付加処理部２６と、吹替情報付加処理部２８と、暗号処理部３０と、暗号鍵管理部３２と、データ圧縮部３３と、映像コンテンツ配信部３４と、配信要求情報送信部３６と、請求書送信部３８と、契約情報データベース４０と、映像コンテンツ保管データベース４２と、顧客データベース４４とを備えている。
【００３６】
また、コンテンツ権利許諾閲覧システム１４は、契約条件提供部４６と、顧客データベース４８とを備えている。
【００３７】
更に、暗号鍵情報管理システム１６は、暗号鍵情報データベース５０と、顧客データベース５２とを備えている。
【００３８】
契約締結部２０は、後述するように契約条件提供部４６によって提供された契約条件に対して顧客サーバ１７（＃２）を介してなされる配信要求側からの契約要求を、インターネット１１を介して受け付ける。そして、受け付けた契約要求の内容と、契約条件提供部４６によって提供された所有権者側の契約条件の内容とを比較する。比較の結果、両内容に矛盾がない場合には、所有権者側と配信要求側との間での映像コンテンツの配信に関する契約を締結し、この締結された契約の契約情報を契約情報データベース４０に格納する。
【００３９】
比較部２２は、配信要求側からの映像コンテンツの配信要求情報が、顧客サーバ１７（＃２）から送信されると、この送信された配信要求情報を受信する。そして、受信した配信要求情報と、契約情報データベース４０に管理された契約情報とを比較し、この配信要求情報が契約情報の範囲内である場合には、配信要求を受け付け、そうでない場合には配信要求を拒否する。
【００４０】
デジタル処理部２４は、比較部２２によって配信要求が受け付けられた場合には、配信要求された映像コンテンツのデジタル変換を行う。
【００４１】
字幕付加処理部２６は、配信要求情報で字幕付加が指定されている場合には、デジタル処理部２４によってデジタル変換されたこの映像コンテンツのデジタルデータに対して、指定された言語の字幕を付加する。
【００４２】
吹替情報付加処理部２８は、配信要求情報で吹替情報付加要求および付加する言語が指定されている場合には、デジタル処理部２４によってデジタル変換されたこの映像コンテンツのデジタルデータに対して、指定された言語の吹替情報を付加する。
【００４３】
暗号処理部３０は、デジタル処理部２４でデジタル変換された映像コンテンツのデジタルデータに暗号化処理を行う。このデジタルデータに字幕または吹替情報が付加されている場合には、字幕または吹替情報が付加されたデジタルデータの暗号化処理を行う。
【００４４】
暗号鍵管理部３２は、暗号処理部３０によって暗号化処理されたデジタルデータの暗号鍵を、デジタルデータ毎に設定し、設定した暗号鍵の鍵情報を暗号鍵情報データベース５０に保管させる。また、必要な場合には、暗号鍵情報データベース５０に保管された暗号鍵情報を用いて、暗号処理部３０によって暗号化処理されたデジタルデータを復号する。
【００４５】
データ圧縮部３３は、暗号処理部３０によって暗号化処理された映像コンテンツのデジタルデータを、配信要求情報で指示された圧縮方式にしたがって圧縮処理する。
【００４６】
映像コンテンツ配信部３４は、データ圧縮部３３によって圧縮処理された映像コンテンツのデジタルデータを、インターネット１１を介して配信要求側の顧客サーバ１７（＃２）へ配信する。
【００４７】
配信要求情報送信部３６は、映像コンテンツのデジタルデータが、映像コンテンツ配信部３４によって配信された場合には、インターネット１１を介してこの映像コンテンツの所有権者側の顧客サーバ１７（＃１）へ、この映像コンテンツに対してなされた配信要求情報を送信する。
【００４８】
請求書送信部３８は、映像コンテンツ配信部３４によって映像コンテンツが配信された配信要求側の顧客サーバ１７（＃２）、およびこの映像コンテンツの所有権者側の顧客サーバ１７（＃１）へ、この映像コンテンツの配信に関する費用請求書を、それぞれインターネット１１を介して送信する。
【００４９】
契約情報データベース４０は、契約締結部２０によって締結された契約情報の格納および管理を行う。
【００５０】
映像コンテンツ保管データベース４２は、デジタル処理部２４によってデジタル変換された映像コンテンツをハードディスクやＤＶＤ等の記憶媒体に記憶し、保管する。
【００５１】
顧客データベース４４は、所有権者側および配信要求側のデータを記憶し、管理している。所有権者側のデータは、所有権者によって顧客サーバ１７（＃１）から入力され、送信されることによって受け付け、記憶するようにしている。配信要求側のデータは、配信要求側によって顧客サーバ１７（＃２）から入力され、送信されることによって受け付け、記憶するようにしている。
【００５２】
契約条件提供部４６は、所有権者側が所有する映像コンテンツの配信に関する契約条件を、インターネット１１を介して各顧客サーバ１７によって閲覧可能な状態で提供する。なお、この契約条件は、所有権者側が顧客サーバ１７（＃１）から入力し、インターネット１１を介して契約条件提供部４６に送信することによって、契約条件提供部４６に登録するようにしている。
【００５３】
顧客データベース４８は、顧客データベース４４に記憶されている所有権者側および配信要求側のデータを記憶している。顧客データベース４４に記憶されているデータの追加あるいは更新がなされた場合には、この顧客データベース４８に記憶されているデータもまた連動して追加あるいは更新がなされるようにしている。
【００５４】
暗号鍵情報データベース５０は、暗号鍵管理部３２によって設定された暗号鍵情報を保管する。
【００５５】
顧客データベース５２は、顧客データベース４４に記憶されている所有権者側および配信要求側のデータを記憶している。顧客データベース４４に記憶されているデータの追加あるいは更新がなされた場合には、この顧客データベース５２に記憶されているデータもまた連動して追加あるいは更新がなされるようにしている。
【００５６】
次に、以上のように構成した本発明の実施の形態に係る映像デジタルデータ管理システムの動作について、図３から図５に示すフローチャートを用いて説明する。
【００５７】
シネマ、アニメ、テレビドラマ、クイズ番組、スポーツ映像などの映像コンテンツの権利を有する所有権者が、自己の所有する映像コンテンツの配信を委託する場合、この映像コンテンツそのものをたとえばフィルムの形態で映像デジタルデータ管理システム１０を運営している企業に持ち込むとともに、顧客サーバ１７（＃１）から、このコンテンツを配信するための契約条件を入力し、入力した契約条件をインターネット１１を介して映像デジタルデータ管理システム１０側に送信する。なお、映像コンテンツがデジタル化されている場合には、直接持ち込むことはせず、顧客サーバ１７（＃１）から映像デジタルデータ管理システム１０に送信するようにしてもよい。
【００５８】
このようにして送信された契約条件は、契約条件提供部４６によって受信され、登録される（Ｓ１）。また、顧客サーバ１７（＃１）からデジタル化された映像コンテンツが送信された場合には、この送信された映像コンテンツは、映像コンテンツ保管データベース４２に保管される。権利所有者側から映像コンテンツが例えばフィルムの形態で持ち込まれた場合には、図示しない保管庫に保管しておく。
【００５９】
そして、ステップＳ１で契約条件提供部４６に登録された契約条件は、インターネット１１を介して各顧客サーバ１７によって閲覧可能な状態とされる（Ｓ２）。
【００６０】
配信要求側が自己の顧客サーバ１７（＃２）から映像デジタルデータ管理システム１０にアクセスし、契約条件提供部４６に登録された契約条件を閲覧する。そして、配信要求側が、この契約条件に合意し、映像コンテンツの配信を要求する場合には、顧客サーバ１７（＃２）から契約要求情報を入力する（Ｓ３）。この入力された契約要求情報は、インターネット１１を介して契約締結部２０によって受け付けられる（Ｓ４）。
【００６１】
契約締結部２０では、ステップＳ４で受け付けた契約要求情報の内容と、それに対応する契約条件の内容とが比較される（Ｓ５）。比較の結果、両内容に矛盾がない場合（Ｓ６：Ｙｅｓ）には、所有権者側と配信要求側との間での映像コンテンツの配信に関する契約が締結され、この締結された契約の契約情報が、契約情報データベース４０に格納される（Ｓ７）。一方、矛盾がある場合（Ｓ６：Ｎｏ）には、契約は締結されず、ステップＳ３に戻る。
【００６２】
このようにして所有権者側との契約が締結されると、配信要求側は、この契約情報が有効な期間に限り、あるいは有効な回数に限り映像コンテンツの配信を受けることができるようになる。配信要求側が、映像コンテンツの配信を要求する場合（Ｓ８：Ｙｅｓ）には、顧客サーバ１７（＃２）から配信要求情報を入力する（Ｓ９）。入力された配信要求情報は、顧客サーバ１７（＃２）からインターネット１１を介して映像デジタルデータ管理システム１０へと送信され、比較部２２によって受信される（Ｓ１０）。
【００６３】
比較部２２では、顧客サーバ１７（＃２）から送信された配信要求情報が受信され、受信した配信要求情報と、契約情報データベース４０に管理された対応する契約情報とが比較される（Ｓ１１）。そして、この配信要求情報が契約情報の範囲内である場合（Ｓ１２：Ｙｅｓ）には、配信要求が受理される一方、そうでない場合（Ｓ１２：Ｎｏ）には配信要求が拒否され、ステップＳ９に戻る。
【００６４】
このように配信要求が受理されると、デジタル処理部２４によって、配信要求された映像コンテンツのデジタル変換処理がなされる（Ｓ１３）。なお、顧客サーバ１７（＃１）から予めデジタル化された映像コンテンツが送信されている場合には、デジタル変換処理は行われない。
【００６５】
更に、配信要求情報で指定されている条件に基づいて、字幕付加、吹替情報付加、暗号処理、圧縮処理等のデータ処理がなされる（Ｓ１４）。
【００６６】
そして、これら各データ処理がなされ、圧縮処理された映像コンテンツのデジタルデータは、映像コンテンツ配信部３４によってインターネット１１を介して配信要求側の顧客サーバ１７（＃２）へと配信される（Ｓ１５）。
【００６７】
顧客サーバ１７（＃２）では、ステップＳ１５において配信された映像コンテンツのデジタルデータが受信される（Ｓ１６）。また、配信要求側は、顧客サーバ１７（＃２）を介して、映像デジタルデータ管理システム１０に対して、自己のデータを送信するとともに暗号鍵情報の問い合わせを行う（Ｓ１７）。
【００６８】
この問い合わせ要求は、暗号鍵情報管理システム１６によって受信され、送信された自己のデータの内容と、顧客データベース５２に格納されたデータの内容とが比較される（Ｓ１８）。そして、両データに矛盾がない場合（Ｓ１９：Ｙｅｓ）には、配信要求側であることが認識され、暗号鍵情報データベース５０から、顧客サーバ１７（＃２）に対して、対応する暗号鍵情報が送信される（Ｓ２０）。一方、両データに矛盾がある場合（Ｓ１９：Ｎｏ）には、ステップＳ１７に戻る。
【００６９】
ステップＳ２０で送信された暗号鍵情報は、顧客サーバ１７（＃２）で受信され、配信要求側が、この暗号鍵情報を用いて、ステップＳ１５で配信された映像コンテンツのデジタルデータの復号処理を行う（Ｓ２１）。これによって、映像コンテンツデータは、再生可能なデータに復号され、配信要求側が備えている図示しない再生手段から再生される（Ｓ２２）。
【００７０】
更に、請求書送信部３８によって、配信要求側の顧客サーバ１７（＃２）、および所有権者側の顧客サーバ１７（＃１）へ、この映像コンテンツの配信に関する費用請求書が、それぞれインターネット１１を介して送信される（Ｓ２３）。
【００７１】
この費用請求書に対して配信要求側は、映像コンテンツの配信料金に相当する費用を所有権者側に支払う。一方、所有権者側は、映像デジタルデータ管理システム１０が、自分に代行して行った映像コンテンツの配信業務に対する費用を映像デジタルデータ管理システム１０を運営する企業に対して支払う（Ｓ２４）。
【００７２】
上述したように、本発明の実施の形態に係る映像デジタルデータ管理システムにおいては、上記のような作用により、シネマ、アニメ、テレビドラマ、クイズ番組、スポーツ映像などの映像デジタルデータの保管、配信契約、字幕付加、配信契約に基づく配信等といった映像デジタルデータに係る各処理、および各処理における必要な管理を一元的に行うことができる。
【００７３】
所有権者側と配信要求側との配信契約の締結は、所有権者側からの契約条件と、配信要求側からの契約要求条件とを比較することによって電子的に、かつ客観的に行われ、以降の配信処理は、この締結した配信契約に則って機械的に行われる。これによって、例えば、国や顧客の違いによる契約配信形態の変化への対応の困難さを解決し、顧客に対する迅速で正確な配信を達成することができる。
【００７４】
また、権利許諾、契約、データ処理、配信といった映像デジタルデータに係る処理、およびこれら各処理における必要な管理全般を一元的、かつ効率的に行うことができる。更に、配信要求側は、映像コンテンツに関する権利許諾状況を、契約条件提供部４６からインターネット１１を介して開示することができるので、商談機会の増加につなげることも可能となる。
【００７５】
以上、本発明の好適な実施の形態について、添付図面を参照しながら説明したが、本発明はかかる構成に限定されない。特許請求の範囲の発明された技術的思想の範疇において、当業者であれば、各種の変更例及び修正例に想到し得るものであり、それら変更例及び修正例についても本発明の技術的範囲に属するものと了解される。
【００７６】
【発明の効果】
以上説明したように、本発明によれば、デジタル化された映像データである映像デジタルデータの保管、配信契約、字幕付加、配信契約に基づく配信等といった映像デジタルデータに係る処理および各処理における管理を一元的に行うことができる。
【００７７】
以上により、例えば、国や顧客の違いによる契約配信形態の変化への対応の困難さを解決し、顧客に対する迅速で正確な配信を達成することができ、権利許諾、契約、配信、管理の効率化を図ることが可能な映像デジタルデータ管理システムを実現することができる。
【００７８】
また、権利許諾状況を映像コンテンツ毎にインターネットを介して開示することも可能となり、商談機会の増加にもつながることが可能となる。
【図面の簡単な説明】
【図１】本発明の実施の形態に係る映像デジタルデータ管理システムが適用されるネットワーク構成の一例を示す概念図
【図２】同実施の形態に係る映像デジタルデータ管理システムの構成例を示す機能ブロック図
【図３】同実施の形態に係る映像デジタルデータ管理システムの動作を示すフローチャート
【図４】同実施の形態に係る映像デジタルデータ管理システムの動作を示すフローチャート
【図５】同実施の形態に係る映像デジタルデータ管理システムの動作を示すフローチャート
【符号の説明】
１０…映像デジタルデータ管理システム
１１…インターネット
１２…統合管理システム
１４…コンテンツ権利許諾閲覧システム
１６…暗号鍵情報管理システム
１７…顧客サーバ
２０…契約締結部
２２…比較部
２４…デジタル処理部
２６…字幕付加処理部
２８…吹替情報付加処理部
３０…暗号処理部
３２…暗号鍵管理部
３３…データ圧縮部
３４…映像コンテンツ配信部
３６…配信要求情報送信部
３８…請求書送信部
４０…契約情報データベース
４２…映像コンテンツ保管データベース
４４，４８，５２…顧客データベース
４６…契約条件提供部
５０…暗号鍵情報データベース
【図１】
2004080515.tif 000003
【図２】
2004080515.tif 000004
【図３】
2004080515.tif 000005
【図４】
2004080515.tif 000006
【図５】
2004080515.tif 000007